(57)【要約】      （修正有）【課題】使用時において単体同士の間に隙間が生ずるのを防ぐことができ、且つ不使用時には浴室内において整然と複数枚の蓋単体を保持できるようにした使い勝手の良好な浴槽用蓋を提供する。【解決手段】浴槽用蓋１を構成する矩形状の各浴槽蓋単体２は長手方向両端面の左右両側縁部にリブ片３によって仕切られた隔室４を形成してあり、隔室４内に嵌合し得る突出部５を形成したエンドキャップ６の突出部５を浴槽蓋単体２の隔室４内に嵌着することによって各浴槽蓋単体２の端面処理を行えるようになっている。エンドキャップ６の中空部内に磁石又は磁性体８を挿着し、さらにその外側から保護キャップ９を嵌着して、エンドキャップ６の突出部５を各浴槽蓋単体２の隔室４内に嵌着することによって磁石又は磁性体８を各浴槽蓋単体２の突き合わせ部１０内に封入し、各浴槽蓋単体２の端部同士を自在に磁着させて使用できるように構成した。【選択図】図２
2018064605.tif 000002
【特許請求の範囲】
【請求項１】
複数枚一組として使用する内部中空の浴槽用の蓋であって、当該蓋を構成する矩形状の各浴槽蓋単体は長手方向両端面の左右両側縁部にリブ片によって仕切られた隔室を形成してあり、当該隔室内に嵌合し得る突出部を両端に形成してなるエンドキャップの当該突出部を前記各浴槽蓋単体の前記隔室内に嵌着することによって各浴槽蓋単体の端面処理を行えるようになっており、且つ前記エンドキャップの前記突出部を中空状となし、当該中空部内に磁石又は磁性体を挿着し、さらにその外側から脱落防止用の保護キャップを嵌着して、当該エンドキャップの前記突出部を各浴槽蓋単体の前記隔室内に嵌着することによって磁石又は磁性体を各浴槽蓋単体の突き合わせ部内に封入し、各浴槽蓋単体の端部同士を自在に磁着させて使用できるように構成したことを特徴とする浴槽用蓋。
【請求項２】
前記各浴槽蓋単体の長手方向に沿った左右両端縁を曲面状に形成すると共に、前記エンドキャップにおける前記突出部の外側も曲面状に形成し、各浴槽蓋単体の突き合わせ部同士を自在な角度で磁着させることができるように構成したことを特徴とする請求項１に記載の浴槽用蓋。
【請求項３】
複数枚一組として使用する断熱構造を有する浴槽用の蓋であって、当該蓋を構成する矩形状の各浴槽蓋単体は長手方向に沿った左右両端縁に、外側が曲面状に形成された蒲鉾形の中空状エッジモールを、当該中空状エッジモールの両端部が各浴槽蓋単体の長手方向寸法より幾分短くなるようにして取付けてあり、当該中空状エッジモールの両端開口部に、当該開口部に合致する端面形状を有する内部中空のコーナーピースを取付けることによって各浴槽蓋単体の端面処理を行えるようになっており、且つ前記コーナーピースの中空部内に磁石又は磁性体を挿着し、且つその外側から脱落防止用の保護キャップを嵌着してから、当該コーナーピースの端面と前記中空状エッジモールの端面同士を接合することによって磁石又は磁性体を各浴槽蓋単体の突き合わせ部内に封入し、各浴槽蓋単体の端部同士を自在な角度で磁着させて使用できるように構成したことを特徴とする浴槽用蓋。
【発明の詳細な説明】
【技術分野】
【０００１】
本発明は三枚一組み、あるいは六枚一組みというように複数枚を組合せて使用する浴槽用蓋の改良に関する。
【背景技術】
【０００２】
組合せ蓋は各単体が独立しており、浴槽の上面に並置した場合には、各単体同士の間に隙間が生ずることがあり、湯温の低下を招くという問題点があると共に、不使用時において各単体を揃えて整然と浴室内に収納するのが難しいという問題点がある。
また、長手方向寸法に較べ幅方向寸法が比較的短尺な矩形状浴槽蓋単体の複数枚を軟質合成樹脂製の連結用帯状片を介して連結し、折り畳みあるいはシャッター蓋のように巻き込みを可能にした浴槽蓋の場合には、各浴槽蓋単体同士を連結する帯状片の部分が谷部となって、当該窪み部分に汚れが付着し易く、且つ当該汚れを取り除くのに多くの手間を要するという問題点がある。
なお、下記の特許文献１に磁石の磁着力を利用したシャッター式の浴槽蓋が開示されていると共に、特許文献２にも風呂蓋に磁石を装着した発明が開示されている。
【先行技術文献】
【特許文献】
【０００３】
【特許文献１】実開平７−３４６３
【特許文献２】特開２００４−１１３４５９
【発明の概要】
【発明が解決しようとする課題】
【０００４】
前記特許文献１に開示されたシャッター式風呂蓋は、少なくとも一端部に位置する中空棒状体と、巻き込み時において当該中空棒状体が重なり合う対応部の１ないし複数本の中空棒状体とに、両中空棒状体同士を磁力吸着せしめる永久磁石、または永久磁石と磁性体とが取付けられている構造となっており、風呂蓋を巻き込んだとき、巻き終わりの遊端部がこれに対応して位置する内側の中空棒状体の磁石に吸着され、巻き崩れを防ぐことができるとしている。
しかしながら、この考案によった場合は、各中空棒状体は軟質合成樹脂製の連結部によって連結されたままであるから、各中空棒状体どうしの間に汚れが定着し易いという問題点がある。
【０００５】
また、前記特許文献２に開示された磁石式風呂蓋は、風呂蓋自体を磁性体に対し保持できる磁石を装着した磁石式風呂蓋であって、当該磁石の磁力を解除できる装置を備えていることを特徴としており、浴室内の磁性体からなる壁面に吸着させて風呂蓋を収納することができ、また磁力解除装置により大きな力を要することなく外すことができるとしている。
しかしながら、この磁石式風呂蓋によった場合は、風呂蓋に付設した取っ手部廻りが複雑、且つ全体重量の増加に繋がるという問題点がある。
【０００６】
本発明は三枚一組み、あるいは六枚一組みというように複数枚を組合せて使用する浴槽用の組合せ蓋または複数本のある程度の幅を持った細長中空棒状単体を構成要素とする浴槽蓋の各突き合わせ部に適当な磁着力を有する磁石または磁性体を付設し、当該磁石の磁着力によって、恰も蝶番のように浴槽蓋の単体同士を自在な角度で繋ぎ合わせることができるようにして、使用時において単体同士の間に隙間が生ずるのを防ぐことができるようにすると共に、不使用時には浴室内で整然と複数枚の蓋単体を保持できるようにした使い勝手の良好な浴槽用蓋を提供することを目的とするものである。
【課題を解決するための手段】
【０００７】
上記課題を解決するための本発明の構成を詳述すれば、請求項１に係る発明は、複数枚一組として使用する内部中空の浴槽用の蓋であって、当該蓋を構成する矩形状の各浴槽蓋単体は長手方向両端面の左右両側縁部にリブ片によって仕切られた隔室を形成してあり、当該隔室内に嵌合し得る突出部を両端に形成してなるエンドキャップの当該突出部を前記各浴槽蓋単体の前記隔室内に嵌着することによって各浴槽蓋単体の端面処理を行えるようになっており、且つ前記エンドキャップの前記突出部を中空状となし、当該中空部内に磁石又は磁性体を挿着し、さらにその外側から脱落防止用の保護キャップを嵌着して、当該エンドキャップの前記突出部を各浴槽蓋単体の前記隔室内に嵌着することによって磁石又は磁性体を各浴槽蓋単体の突き合わせ部内に封入し、各浴槽蓋単体の端部同士を自在に磁着させて使用できるように構成したことを特徴とする浴槽用蓋である。
【０００８】
請求項２に係る発明は、前記各浴槽蓋単体の長手方向に沿った左右両端縁を曲面状に形成すると共に、前記エンドキャップにおける前記突出部の外側も曲面状に形成し、各浴槽蓋単体の突き合わせ部同士を自在な角度で磁着させることができるように構成したことを特徴とする請求項１に記載の浴槽用蓋である。
【０００９】
また、請求項３に係る発明は、複数枚一組として使用する断熱構造を有する浴槽用の蓋であって、当該蓋を構成する矩形状の各浴槽蓋単体は長手方向に沿った左右両端縁に、外側が曲面状に形成された蒲鉾形の中空状エッジモールを、当該中空状エッジモールの両端部が各浴槽蓋単体の長手方向寸法より幾分短くなるようにして取付けてあり、当該中空状エッジモールの両端開口部に、当該開口部に合致する端面形状を有する内部中空のコーナーピースを取付けることによって各浴槽蓋単体の端面処理を行えるようになっており、且つ前記コーナーピースの中空部内に磁石又は磁性体を挿着し、且つその外側から脱落防止用の保護キャップを嵌着してから、当該コーナーピースの端面と前記中空状エッジモールの端面同士を接合することによって磁石又は磁性体を各浴槽蓋単体の突き合わせ部内に封入し、各浴槽蓋単体の端部同士を自在な角度で磁着させて使用できるように構成したことを特徴とする浴槽用蓋である。
【発明の効果】
【００１０】
請求項１に係る発明によれば、中空押出成形による各浴槽蓋単体の切断端面を美麗に処理するエンドキャップを利用して磁石又は磁性体を各浴槽蓋単体の突き合わせ部内に封入し、各浴槽蓋単体の端部同士を自在に磁着させて使用できるようにしたので使い勝手の甚だ良好な浴槽用蓋を提供することができる。
すなわち、各浴槽蓋単体同士は合成樹脂製連結用帯状片によって連結されているものではないから、連接部分に汚れが溜まるのを防ぐことができると共に、浴槽上面に被せた際に、各浴槽用蓋単体の突き合わせ部同士がエンドキャップに封入してある磁石の磁着力によって隙間なく密着するので湯温の低下を防ぐことができる。
【００１１】
請求項２に係る発明によれば、浴槽用蓋単体同士は曲面状に形成された両端縁にて磁着するので恰も蝶番のように自在に連結角度を調整することができ、浴室内の環境に合わせて自由に使用することができる。また、磁石あるいは磁性体の所在箇所は外観からは一切判らないから浴槽用蓋の外観体裁を阻害することもない。
【００１２】
また、請求項３に係る発明のように、アルミ−樹脂複合材などを用いた断熱構造を有する浴槽用の組合せ蓋の場合には、請求項１のような中空部内に挿着するエンドキャップを用いることができないが、各浴槽蓋単体の左右両端縁に取付けた中空状エッジモールと、コーナーピースを用いることによって磁石または磁性体を浴槽蓋単体の突き合わせ部内に封入することができ、請求項１及び請求項２に係る発明の場合と同様な効果を奏することができる。
なお、何れの実施例によった場合も、浴槽上面に並置した浴槽用蓋を開けて折り畳んだ時に、間違えて手指を挟んだとしても、連結部分が磁石による磁着であるので当該磁着部分が外れ、手指を怪我するようなことがなくなる。
【図面の簡単な説明】
【００１３】
【図１】本発明に係る浴槽用蓋の一実施形態を示す斜視図である。
【図２】図１に示す浴槽蓋単体の長手方向端面部の詳細を示す説明図である。
【図３】図２のＡ−Ａ線に沿った断面部の説明図である。
【図４】本発明に係る浴槽用蓋の他の実施形態を示す斜視図である。
【図５】図４に示す浴槽蓋単体の長手方向端面部の詳細を示す説明図である。
【図６】図４のＢ−Ｂ線に沿ったコーナーピースの断面説明図である。
【発明を実施するための形態】
【００１４】
以下、本発明に係る浴槽用蓋の具体的構成を図示の実施形態に基づき詳細に説明する。
【００１５】
なお、次に示す実施形態は、本発明の技術思想を具体化するための浴槽用蓋を例示するに過ぎないものであって、本発明は以下の構成に限定されるものではない。特に、実施の形態および図面に記載されている構成要素の大きさ、枚数、形状などは、特定的な記載がない限り本発明の範囲をそれのみに限定する趣旨ではなく、単なる説明例に過ぎないものである。また、各図面が示す部材の大きさや位置関係等は説明を明確にするために誇張していることがある。
【００１６】
図１ないし図３に示す実施形態は、六枚一組みとして浴槽の上面を覆うように構成された浴槽用蓋の例を示すものであり、図中１は浴槽用蓋の全体を示し、２は当該浴槽用蓋１を構成する各浴槽蓋単体を示す。矩形状をなす各浴槽蓋単体２は中空押出成形によって作製されたもので、長手方向両端面の左右両側縁部にリブ片３，３によって仕切られた隔室４，４を形成してあり、当該隔室４，４内に嵌合し得る突出部５，５を両端に形成してなるエンドキャップ６の当該突出部５，５を前記各浴槽蓋単体２の前記隔室４，４内に嵌着することによって各浴槽蓋単体２の端面を美麗に処理できるようになっており、且つ前記エンドキャップ６の前記突出部５，５を中空状となし、当該中空部７，７内に磁石又は磁性体８，８を挿着し、さらにその外側から脱落防止用の保護キャップ９，９を嵌着して、当該エンドキャップ６の前記突出部５，５を各浴槽蓋単体２の前記隔室４，４内に嵌着することによって磁石又は磁性体８，８を各浴槽蓋単体２の突き合わせ部１０内に封入し、各浴槽蓋単体２の突き合わせ部１０同士を自在に磁着させて使用できるように構成したものである。
【００１７】
図１ないし図３に示す浴槽用蓋１は、六枚一組みとして浴槽の上面を覆うように構成したものであるから、各浴槽蓋単体２の短手方向寸法は、長手方向寸法に較べて可成り短くなっており、従来は、各浴槽蓋単体２同士を、図示しない軟質合成樹脂製の連結用帯状片を用いて相互に連結し、折り畳みないし巻き込みができるようにしたタイプの浴槽蓋が提案されている。
【００１８】
この従来タイプの折り蓋等の場合は、前記したように、谷部となる連結用帯状片の部分に汚れが付着し易く、且つ当該汚れを取り除くのに多くの手間を要するという問題点があったのである。
しかしながら、本発明によれば、各浴槽蓋単体２の端面部を綺麗に装うエンドキャップ６の両端に形成してある突出部５，５の中空部７，７内に磁石又は磁性体８，８を挿着してあるので、各浴槽蓋単体２，２同士を磁石又は磁性体８，８によって突き合わせ部１０同士を磁着させることができ、施蓋状態において、各浴槽蓋単体２，２同士の間に隙間が生ずるのを防ぐことができる。また、必要に応じて浴槽蓋単体２同士を磁着力に抗して引き離し、端縁部の汚れを簡単に取り除くことが可能となる。
【００１９】
なお、各浴槽蓋単体２，２の長手方向に沿った左右両端縁を、図２に示すように曲面状に形成すると共に、前記エンドキャップ６における前記突出部５，５の外側も曲面状に形成した場合は、各浴槽蓋単体２，２の突き合わせ部１０同士を自在な角度で磁着させることができ、甚だ使い勝手の良好な浴槽用蓋とすることができる。
【００２０】
図２に示す浴槽蓋単体２の中空内部にはリブ片３，３の他に、ほぼ中間部分にも補強用のリブ片１１を設けてあるが、当該リブ片１１の付設数は浴槽蓋単体２の幅方向寸法に応じて適宜増やすことができる。
【００２１】
また、エンドキャップ６における前記中空状突出部５，５内にはすべて磁石を挿着するようにしてもよいが、対向位置する他方のエンドキャップ６における中空状突出部５内には通常の磁性体を封入するようにしてもよいのは勿論である。
磁石としては、強力な磁着力を発現するネオジウムを始めとした希土類磁石が好適に用いられるが、フェライト粉末をゴムまたは合成樹脂に練り込んだゴム磁石やプラスチック磁石を用いることもできる。
【００２２】
浴槽用蓋は水気の多い環境において使用するものであるが、前記したように磁石又は磁性体８はエンドキャップ６の両端に形成してある突出部５，５の中空部７，７内に挿着され、且つ外側から脱落防止用の保護キャップ９，９を嵌着して中空状突出部５，５内に封入され、さらに浴槽蓋単体２の前記隔室４，４内に密嵌されるものであるから水分による影響を受けることは殆んどなく、経時的に磁着力が低下することもない。なお、エンドキャップ６が各浴槽蓋単体２の端面部から脱落するのを防ぐため適宜、接着、融着等の固定手段を用いる。
【００２３】
次に、図４ないし図６に示す実施形態は、三枚一組みとして浴槽の上面を覆うように構成した断熱構造を有する浴槽蓋の例を示すもので、図中１は浴槽用蓋の全体を示し、２は当該浴槽用蓋１を構成する各浴槽蓋単体を示す。
【００２４】
矩形状をなす各浴槽蓋単体２は、例えばアルミ−発泡樹脂複合材などを用いた断熱構造を具備しており、長手方向に沿った左右両端縁に、外側が曲面状に形成された蒲鉾形の中空状エッジモール１２，１２を、当該中空状エッジモール１２，１２の両端部が各浴槽蓋単体２の長手方向寸法より幾分短くなるようにして取付けてあり、当該中空状エッジモール１２，１２の両端開口部１３，１３に、当該開口部１３，１３に合致する端面形状を有する内部中空のコーナーピース１４，１４を取付けることによって各浴槽蓋単体２の端面処理を行えるようになっており、且つ前記コーナーピース１４，１４の中空部内に磁石又は磁性体８，８を挿着し、且つその外側から脱落防止用の保護キャップ９，９を嵌着してから、当該コーナーピース１４，１４の端面と前記中空状エッジモール１２，１２の端面同士を接着や熱融着など適宜の手段で接合することによって磁石又は磁性体８，８を各浴槽蓋単体２の突き合わせ部１０内に封入し、各浴槽蓋単体２の端縁部同士を自在な角度で磁着させて使用できるように構成したものである。
【００２５】
アルミ−樹脂複合材などを用いた断熱構造を具備する浴槽用蓋の場合、各浴槽蓋単体２は中空状とはなっていないため、前記した実施形態のように、エンドキャップの左右両端部に突成した突出部を各浴槽蓋単体２の隔室内等に嵌着することができない。そのため、この実施形態においては、矩形状をなす各浴槽蓋単体２の長手方向に沿った左右両端縁に、外側が曲面状に形成された蒲鉾形の中空状エッジモール１２，１２を、当該中空状エッジモール１２，１２の両端部が各浴槽蓋単体２の長手方向寸法より若干短くなるようにして取付けると共に、当該中空状エッジモール１２，１２の両端開口部１３，１３に、当該開口部１３，１３に合致する端面形状を有する内部中空のコーナーピース１４，１４を取付けることによって各浴槽蓋単体２の端面処理を行えるようにしたものである。
【００２６】
この実施形態においては、前記コーナーピース１４の中空部を利用して、当該中空部内に磁石又は磁性体８を封入し、且つその外側から脱落防止用の保護キャップ９を嵌着し、当該コーナーピース１４の端面と前記中空状エッジモール１２の端面同士を適宜の手段で一体化することにより磁石又は磁性体８を各浴槽蓋単体２の突き合わせ部１０内に封入し、各浴槽蓋単体２の端縁部同士を自在な角度で磁着させて使用できるように構成したものである。
なお、コーナーピース１４は前記中空状エッジモール１２の端面開口部１３に合致する筒状部１５を有すると共に、浴槽蓋単体２の幅方向隅角部を覆うカバー部１６を形成してあり、前記筒状部１５の外側には、各浴槽蓋単体２の端縁部に形成してある突片１７，１７を挿着し得るスリット１８，１８を形成してある。
【００２７】
この実施形態によった浴槽用蓋の場合も、磁石又は磁性体８はコーナーピース１４における筒状部１５内の中空部内に保持され、外側から脱落防止用の保護キャップ９によって封入された状態となるものであるから浴室内の水気による影響を受けることは殆んどなく、浴槽蓋単体２同士は曲面状に形成された突き合わせ部１０によって磁着するので蝶番のように自在に連結角度を調整することができ、浴室内の状況に応じて自在な角度で保持することが可能となる。
【符号の説明】
【００２８】
１：浴槽用蓋
２：浴槽蓋単体
３：リブ片
４：隔室
５：突出部
６：エンドキャップ
７：中空部
８：磁石又は磁性体
９：保護キャップ
１０：突き合わせ部
１１：リブ片
１２：中空状エッジモール
１３：開口部
１４：コーナーピース
１５：筒状部
１６：カバー部
１７：突片
１８：スリット
【図１】
2018064605.tif 000003
【図２】
2018064605.tif 000004
【図３】
2018064605.tif 000005
【図４】
2018064605.tif 000006
【図５】
2018064605.tif 000007
【図６】
2018064605.tif 000008